(57)【要約】【課題】ネジの締め付け状態に遊度が発生せず、円滑な巻き取り操作が行えると共にハンドルの強固な起立状態が維持できる魚釣用リ−ルのハンドルを提供することである。【解決手段】リ−ル本体１から突出した駆動軸３の外周には支持部材４が回転自在で軸方向に移動自在に嵌合され、駆動軸３の一方の端部に連結ピン１３がハンドルア−ム５の長手方向と直交する方向に固定されて基部５ａが回動可能に抜け止めされ、ハンドルア−ム５の他方の端部には軸部１５でハンドルツマミ１６が回転自在に嵌合され、基部５ａには当接部４ａと当接する当接部５ｂとハンドルア−ム５の長手方向のスリ割溝５ｃと筒部４ｂが嵌合可能な凹部５ｄが形成され、支持部材４の当接部４ａに筒部４ｂが形成されている。駆動軸３の他方の端部にネジ孔３ｂが形成されて止めネジ６が螺合されている。【選択図】        図１
2004229573.tif 000002
【特許請求の範囲】
【請求項１】
一方にハンドルツマミを有するハンドルア−ムの他方の基部に連結される駆動軸を、リ−ル本体の巻き取り駆動機構にネジ手段によって取り付けられ、該ネジ手段の締め付け状態を解除することによって前記ハンドルを折り畳み可能とした魚釣用リ−ルのハンドルにおいて、前記駆動軸上に移動可能に嵌着される支持部材の当接部と前記ハンドルア−ムの基部の当接部を凹凸係合で該ハンドルア−ムの起立状態を保持すると共に、前記ネジ手段の締め付け状態を解除して前記凹凸係合状態を離脱することによって前記ハンドルを折り畳み可能としたことを特徴とする魚釣用リ−ルのハンドル。
【請求項２】
前記凹凸係合は、当接部の一方に形成した雄ネジ部が他方に形成した雌ネジ部に螺合するものであることを特徴とする請求項１記載の魚釣用リ−ルのハンドル。
【請求項３】
一方にハンドルツマミを有するハンドルア−ムの他方の基部に連結される駆動軸を、リ−ル本体の巻き取り駆動機構にネジ手段によって取り付けられ、該ネジ手段の締め付け状態を解除することによって前記ハンドルを折り畳み可能とした魚釣用リ−ルのハンドルにおいて、前記駆動軸の端部に回動可能にハンドルア−ムの基部を連結するピンを、前記ハンドルア−ムの長手方向側となるように前記駆動軸に設けたことを特徴とする魚釣用リ−ルのハンドル。
【発明の詳細な説明】
【０００１】
【発明の属する技術分野】
本発明は、リ−ル本体の巻き取り駆動機構に連結されて巻き取り操作する魚釣用リ−ルのハンドルの改良に関する。
【０００２】
【従来の技術】
【特許文献１】
実開平３−７４２６４号公報
【特許文献２】
特開２００１−２３１４１４号公報
【０００３】
リ−ル本体の巻き取り駆動機構に連結されて巻き取り操作されるハンドルは、使用時は起立状態に、そして、使用後は持ち運びを容易にするための携帯性を考慮して折り畳んでコンパクトに出来るように構成されている。
（例えば特許文献１及び特許文献２参照）
【０００４】
これらのハンドルは、リ−ル本体の巻き取り駆動機構に特許文献１では、ハンドルア−ムを有する駆動軸部を回り止め装着した後に反ハンドル側からネジによる締め付けや、特許文献２では、駆動軸部自体のネジ込みによって連結され、巻き取り操作可能な起立状態に維持されている。
又、使用後の携帯時や梱包時には、ねじ込み状態を解除（別体の締め付けネジを緩めたり、駆動軸部自体のネジ込みを緩めて、駆動軸とハンドルア−ムの起立圧着状態を解除）して、ハンドルを折り畳んでコンパクト化できるようになっている。
【０００５】
更に詳細にハンドル構造を述べると、
特許文献１では公報図面及び本願
【図面】図１８のように、リ−ル本体１（以下図１８で）に軸受で軸承された駆動歯車２ｂの軸部２ａ中心孔に駆動軸部１７が回り止め挿通され、リ−ル本体１の外側に突出された駆動軸部１７の一方の外周に略円錐筒状の支持部材１８が嵌合されて駆動軸部１７の一端にハンドルア−ム５の基部５ａがピン１３で回動可能に抜け止めされ、駆動軸部１７の他端には反ハンドル側から止めネジ６が締め付けられている。
又、特許文献２では公報図面及び本願
【図面】図１９のように、リ−ル本体１（以下図１９で）に軸受で軸承された駆動歯車２ｂの軸部２ａ中心ネジ孔に駆動軸部１９自体のネジ１９ａがネジ込みされ、リ−ル本体１の外側に突出された駆動軸部１９の一方の外周に略円錐筒状の支持部材１８が嵌合されて駆動軸部１９の一端にハンドルア−ム５の基部５ａがピン１３で回動可能に抜け止めされている。
【０００６】
上記図１８、図１９で実釣時の高負荷巻き取り操作時には、ハンドルア−ム５の一方の図示しないツマミ部が握られてハンドルア−ム５が回動されると、ハンドルア−ム５の基部５ａには、前後左右の不規則な力矢印Ａが基部５ａの当接面ａと駆動軸部１７及び１９上に設けられた支持部材１８の当接面ｂとに作用し、当接面ａ、ｂの周囲を支点にしてこの不規則な力は、半径方向外方に伸びるハンドルア−ム５のテコの原理によって、集中的に加わることになる。
そのため、駆動軸部１７及び１９を軸方向に強く引っ張る力矢印Ｂの作用で、締め付けネジ部分を変形、伸張、損傷させたり、ハンドルア−ム５の基部５ａの当接部５ｂと支持部材１８の当接部１８ａの夫々の当接面ａ、ｂを傷付けてしまう。
そのため、止めネジ６や１９ａの締め付け状態に遊度が発生してハンドルにガタが生じてしまい、円滑な巻き取り操作が行えなくなると共にハンドルの強固な起立状態が維持できなくなる。
【０００７】
上記テコの原理が働かないようにハンドルア−ム５と支持部材１８を一体的に固定すると、折り畳みができなくなり、梱包や持ち運びに不便になる。
【０００８】
【発明が解決しようとする課題】
解決しようとする問題点は、駆動軸部１７及び１９上に支持部材１８が嵌合されると共に一端にハンドルア−ム５が回動可能に抜け止めされていると、実釣時の高負荷巻き取り操作時にハンドルア−ム５の基部５ａの前後左右の不規則な力が基部５ａの当接面ａとハンドル駆動軸３に設けられた支持部材４の当接面ｂに作用し、当接面ａ、ｂに集中的に加わって作用し、駆動軸部１７及び１９を軸方向に強く引っ張る力が作用すると共に、締め付けネジ部分を変形、伸張、損傷させたり、ハンドルア−ム５の基部５ａの当接部５ｂと支持部材１８の当接部Ｌの夫々の当接面を傷付けてしまい、止めネジ６や１９ａの締め付け状態に遊度が発生してハンドルにガタが生じてしまい、円滑な巻き取り操作が行えなくなると共にハンドルの強固な起立状態が維持できなくなることである。
【０００９】
本発明の目的は前記欠点に鑑み、ネジの締め付け状態に遊度が発生せず、円滑な巻き取り操作が行えると共にハンドルの強固な起立状態が維持できる魚釣用リ−ルのハンドルを提供することである。
【００１０】
【課題を解決するための手段】
上記課題を解決するために、
請求項１に係わる本発明は、一方にハンドルツマミを有するハンドルア−ムの他方の基部に連結される駆動軸を、リ−ル本体の巻き取り駆動機構にネジ手段によって取り付けられ、該ネジ手段の締め付け状態を解除することによって前記ハンドルを折り畳み可能とした魚釣用リ−ルのハンドルにおいて、前記駆動軸上に移動可能に嵌着される支持部材の当接部と前記ハンドルア−ムの基部の当接部を凹凸係合で該ハンドルア−ムの起立状態を保持すると共に、前記ネジ手段の締め付け状態を解除して前記凹凸係合状態を離脱することによって前記ハンドルを折り畳み可能としたことを要旨とするものである。
請求項２に係わる本発明は、前記凹凸係合は、当接部の一方に形成した雄ネジ部が他方に形成した雌ネジ部に螺合するものであることを要旨とするものである。
請求項３に係わる本発明は、一方にハンドルツマミを有するハンドルア−ムの他方の基部に連結される駆動軸を、リ−ル本体の巻き取り駆動機構にネジ手段によって取り付けられ、該ネジ手段の締め付け状態を解除することによって前記ハンドルを折り畳み可能とした魚釣用リ−ルのハンドルにおいて、前記駆動軸の端部に回動可能にハンドルア−ムの基部を連結するピンを、前記ハンドルア−ムの長手方向側となるように前記駆動軸に設けたことを要旨とするものである。
【００１１】
【発明の実施の形態】
請求項１の本発明により、ハンドルア−ム５が起立保持されている状態でハンドルツマミ１６を掴んで回転され、実釣時の高負荷巻き取り操作時には、ハンドルア−ム５が回動されると、ハンドルア−ム５の基部５ａには、前後左右の不規則な力が基部５ａの当接面ａと駆動軸３に設けられた支持部材４の当接面ｂとに作用し、当接面ａ、ｂの周囲を支点にしてこの不規則な力は、半径方向外方に伸びるハンドルア−ム５のテコの原理によって、集中的に加わることになるが、支持部材４の筒部４ｂがハンドルア−ム５の凹部５ｄに嵌合されて凹凸係合で起立状態を確実に保持されるため、駆動軸３への不要な引っ張り力の作用発生が防止できるので、ガタ付きが確実に防止できる。
請求項２の本発明により、支持部材４とハンドルア−ム５の対向する当接部４ａと当接部５ｂの凹凸係合が雄ネジ部４ｃと雌ネジ部５ｅで直接螺合するので、より確実にガタ付き発生を防止できる。
【００１２】
請求項３の本発明により、ハンドルア−ム５が起立保持されている状態でハンドルツマミ１６を掴んで回転され、実釣時の高負荷巻き取り操作時には、ハンドルツマミ１６の軸方向に作用し易い力に対して、駆動軸３とハンドルア−ム５を連結する連結ピン１３で回動をも防止できる兼用構成としたので、簡素な構造でガタ付きが防止できる。
【００１３】
【実施例】
以下、図示の実施例によって本発明を説明すると、図１から図７は第１実施例で魚釣用リ−ルを魚釣用スピニングリ−ルで述べれば、図１は魚釣用スピニングリ−ルの要部断面平面図、図２は図１のハンドルア−ム起立状態の要部拡大断面平面図、図３は図１のハンドルア−ム起立状態の要部拡大断面背面図、図４はハンドルア−ム折り畳み状態の要部拡大断面平面図、図５はハンドルア−ム折り畳み状態の要部拡大断面背面図、図６はハンドルア−ム折り畳み状態の魚釣用スピニングリ−ルの平面図、図７はハンドルア−ム折り畳み状態の魚釣用スピニングリ−ルの側面図である。
【００１４】
魚釣用スピニングリ−ルは、リ−ル本体１の一側に蓋体１０が取り付けられてリ−ル本体１に取り付けられた軸受１１と蓋体１０に取り付けられた軸受１２で回転駆動体２の軸部２ａの両端が軸承されている。
回転駆動体２の軸部２ａには駆動歯車２ｂが一体に固定されている。
軸部２ａの中心孔２ｃには駆動軸３が挿通されて回り止め部３ａで回り止めされている。
リ−ル本体１から突出した駆動軸３の外周には略円錐筒状の支持部材４が回転自在で軸方向に移動自在に嵌合されている。
【００１５】
駆動軸３の一方の端部に連結ピン１３がハンドルア−ム５の長手方向と直交する方向に固定されてハンドルア−ム５の基部５ａが回動可能に抜け止めされている。
駆動軸３の他方の端部にネジ孔３ｂが形成されて止めネジ６が螺合され、ハンドルア−ム５を起立状態に保持したり、ハンドルア−ム５を折り畳み状態に切換えるネジ手段を構成している。
【００１６】
リ−ル本体１の上部にはリ−ル脚１ａが一体に形成されている。
リ−ル本体１の前部には図示しない軸受で回転軸筒７が回転自在に軸受されると共に前側に突出され、回転軸筒７の前端にロ−タ８が取り付けられている。
回転軸筒７の基端は軸受部１ｂで回転自在に軸承され、基端の前側に一体的に形成されたピニオン７ａに駆動歯車２ｂが噛合されてロ−タ８はハンドルア−ム５の回転に連動して回転されるように支持されている。
回転軸筒７の中心孔にはスプ−ル軸９が前後往復動可能に摺動自在に挿入され、スプ−ル軸９の先端にはスプ−ル１４が取り付けられている。
【００１７】
支持部材４の図で右端の当接部４ａに筒部４ｂが形成されている。
ハンドルア−ム５の基部５ａには当接部４ａと当接する当接部５ｂとハンドルア−ム５の長手方向のスリ割溝５ｃと筒部４ｂが嵌合可能な凹部５ｄが形成されている。
ハンドルア−ム５の他方の端部には軸部１５でハンドルツマミ１６が回転自在に嵌合されている。
【００１８】
ハンドルア−ム５の起立状態では、ハンドルア−ム５の凹部５ｄの中に支持部材４の筒部４ｂが嵌合されて当接部５ｂの当接面ａと当接部４ａの当接面ｂが当接され、駆動軸３の他方の端部のネジ孔３ｂに止めネジ６が螺合されて締め付けられ、ハンドルア−ム５の起立状態が保持されている。
ハンドルア−ム５が折り畳まれる時は、止めネジ６が緩められ、凹部５ｄの中から筒部４ｂが引き抜かれて離脱されると、ハンドルツマミ１６がリ−ル脚１ａ側になるようにハンドルア−ム５が折り畳まれる。
【００１９】
ハンドルア−ム５が起立保持されている状態でハンドルツマミ１６を掴んで回転され、実釣時の高負荷巻き取り操作時には、ハンドルア−ム５が回動されると、ハンドルア−ム５の基部５ａには、前後左右の不規則な力が基部５ａの当接面ａと駆動軸３に設けられた支持部材４の当接面ｂとに作用し、当接面ａ、ｂの周囲を支点にしてこの不規則な力は、半径方向外方に伸びるハンドルア−ム５のテコの原理によって、集中的に加わることになるが、支持部材４の筒部４ｂがハンドルア−ム５の凹部５ｄに嵌合されて凹凸係合で起立状態を確実に保持されるため、駆動軸３への不要な引っ張り力の作用発生が防止できるので、ガタ付きが確実に防止できる。
【００２０】
前記のように魚釣用リ−ルのハンドルが構成されると、実釣時の高負荷巻き取り操作時にハンドルア−ム５の基部５ａに前後左右の不規則な力が作用しても、支持部材４の筒部４ｂがハンドルア−ム５の凹部５ｄに嵌合されて凹凸係合で起立状態を確実に保持されるため、駆動軸３への不要な引っ張り力の作用発生が防止できるので、ガタ付きが確実に防止できる。
【００２１】
図８から図１０は第２実施例で、図８はハンドルア−ム起立状態の要部拡大断面平面図、図９はハンドルア−ム起立状態の要部拡大断面背面図、図１０はハンドルア−ム折り畳み状態の要部拡大断面平面図である。
【００２２】
第２実施例では、支持部材４の図で右端の当接部４ａに筒部４ｂが形成されると共に筒部４ｂの外周に雄ネジ部４ｃが形成されている。
ハンドルア−ム５の基部５ａには当接部４ａと当接する当接部５ｂと長手方向のスリ割溝５ｃと筒部４ｂが嵌合可能な凹部５ｄが形成されると共に凹部５ｄの内周に雌ネジ部５ｅが形成されている。
他の構成は前記第１実施例と略同一である。
【００２３】
ハンドルア−ム５が起立保持状態では、支持部材４の雄ネジ部４ｃがハンドルア−ム５の雌ネジ部５ｅに螺合されて凹凸係合されると共に、当接部５ｂの当接面ａと当接部４ａの当接面ｂが当接される。
ハンドルア−ム５が折り畳まれる時は、止めネジ６が緩められると共に、支持部材４が回動されて雄ネジ部４ｃがハンドルア−ム５の雌ネジ部５ｅから離脱され、凹部５ｄの中から筒部４ｂが引き抜かれると、前記第１実施例の図６、図７と同様に折り畳まれてハンドルツマミ１６がリ−ル脚１ａ側になるようにハンドルア−ム５が折り畳まれる。
【００２４】
第２実施例の魚釣用リ−ルのハンドルが構成されると、支持部材４とハンドルア−ム５の対向する当接部４ａと当接部５ｂの凹凸係合が雄ネジ部４ｃと雌ネジ部５ｅで直接螺合するので、より確実にガタ付き発生を防止できる。
【００２５】
図１１から図１７は第３実施例で、図１１は魚釣用スピニングリ−ルの要部断面平面図、図１２は図１１のハンドルア−ム起立状態の要部拡大断面平面図、図１３は図１１のハンドルア−ム起立状態の要部拡大断面背面図、図１４はハンドルア−ム折り畳み状態の要部拡大断面平面図、図１５はハンドルア−ム折り畳み状態の要部拡大断面背面図、図１６はハンドルア−ム折り畳み状態の魚釣用スピニングリ−ルの平面図、図１７はハンドルア−ム折り畳み状態の魚釣用スピニングリ−ルの側面図である。
【００２６】
第３実施例では、駆動軸３の一方の端部に連結ピン１３がハンドルア−ム５の長手方向側となるように固定されて基部５ａが回動可能に抜け止めされている。
ハンドルア−ム５の基部５ａには当接部４ａと当接する当接部５ｂとハンドルア−ム５の長手方向と直交する方向のスリ割溝５ｆが形成されている。
他の構成は前記第１実施例と略同一である。
【００２７】
ハンドルア−ム５が起立保持状態では、当接部５ｂの当接面ａと当接部４ａの当接面ｂが当接され、連結ピン１３でハンドルア−ム５の基部５ａが当接方向に搖れることはない。
ハンドルア−ム５が折り畳まれる時は、止めネジ６が緩められると当接部５ｂの当接面ａが当接部４ａの当接面ｂから離脱され、リ−ル脚１ａの上部の釣竿受け部１ｃの長手方向と平行にハンドルア−ム５が起こされる。
【００２８】
第３実施例の魚釣用リ−ルのハンドルが構成されると、ハンドルア−ム５が起立保持されている状態でハンドルツマミ１６を掴んで回転され、実釣時の高負荷巻き取り操作時には、ハンドルツマミ１６の軸方向に作用し易い力矢印Ｃに対して、駆動軸３とハンドルア−ム５を連結する連結ピン１３でハンドルア−ム５の回動をも防止できる兼用構成としたので、簡素な構造で駆動軸３に不要な軸方向の力が作用せず、ハンドルのガタ付きが防止できる。
【００２９】
【発明の効果】
本発明は、以上説明したような形態で実施され、以下に記載されるような効果を奏する。
【００３０】
請求項１により、ハンドルア−ムが起立保持されている状態で、実釣時の高負荷巻き取り操作時には、ハンドルア−ムの基部には、前後左右の不規則な力が基部の当接面と駆動軸に設けられた支持部材の当接面とに作用し、当接面の周囲を支点にしてこの不規則な力は、半径方向外方に伸びるハンドルア−ムのテコの原理によって、集中的に加わることになるが、支持部材の筒部がハンドルア−ムの凹部に嵌合されて凹凸係合で起立状態を確実に保持されるため、駆動軸への不要な引っ張り力の作用発生が防止できるので、ガタ付きが確実に防止できる。
請求項２により、支持部材とハンドルア−ムの対向する当接部と当接部の凹凸係合が雄ネジ部と雌ネジ部で直接螺合するので、より確実にガタ付き発生を防止できる。
請求項３により、ハンドルア−ムが起立保持されている状態で、実釣時の高負荷巻き取り操作時には、ハンドルツマミの軸方向に作用し易い力に対して、駆動軸とハンドルア−ムを連結する連結ピンで回動をも防止できる兼用構成としたので、簡素な構造でガタ付きが防止できる。
【図面の簡単な説明】
【図１】第１実施例で、魚釣用スピニングリ−ルの要部断面平面図である。
【図２】同図１のハンドルア−ム起立状態の要部拡大断面平面図である。
【図３】同図１のハンドルア−ム起立状態の要部拡大断面背面図である。
【図４】同ハンドルア−ム折り畳み状態の要部拡大断面平面図である。
【図５】同ハンドルア−ム折り畳み状態の要部拡大断面背面図である。
【図６】同ハンドルア−ム折り畳み状態の魚釣用スピニングリ−ルの平面図である。
【図７】同ハンドルア−ム折り畳み状態の魚釣用スピニングリ−ルの側面図である。
【図８】第２実施例で、ハンドルア−ム起立状態の要部拡大断面平面図である。
【図９】同ハンドルア−ム起立状態の要部拡大断面背面図である。
【図１０】同ハンドルア−ム折り畳み状態の要部拡大断面平面図である。
【図１１】第３実施例で、魚釣用スピニングリ−ルの要部断面平面図である。
【図１２】同図１１のハンドルア−ム起立状態の要部拡大断面平面図である。
【図１３】同図１１のハンドルア−ム起立状態の要部拡大断面背面図である。
【図１４】同ハンドルア−ム折り畳み状態の要部拡大断面平面図である。
【図１５】同ハンドルア−ム折り畳み状態の要部拡大断面背面図である。
【図１６】同ハンドルア−ム折り畳み状態の魚釣用スピニングリ−ルの平面図である。
【図１７】同ハンドルア−ム折り畳み状態の魚釣用スピニングリ−ルの側面図である。
【図１８】特許文献１の魚釣用スピニングリ−ルの要部断面平面図である。
【図１９】特許文献２の魚釣用スピニングリ−ルの要部断面平面図である。
【符号の説明】
１  リ−ル本体
２  回転駆動体
３  駆動軸
４  支持部材
４ｂ  筒部（凹凸係合部）
４ａ、５ｂ  当接部
５  ハンドルア−ム
５ａ  基部
５ｄ  凹部（凹凸係合部）
１３  連結ピン
１６  ハンドルツマミ
ａ、ｂ  当接面
【図１】
2004229573.tif 000003
【図２】
2004229573.tif 000004
【図３】
2004229573.tif 000005
【図４】
2004229573.tif 000006
【図５】
2004229573.tif 000007
【図６】
2004229573.tif 000008
【図７】
2004229573.tif 000009
【図８】
2004229573.tif 000010
【図９】
2004229573.tif 000011
【図１０】
2004229573.tif 000012
【図１１】
2004229573.tif 000013
【図１２】
2004229573.tif 000014
【図１３】
2004229573.tif 000015
【図１４】
2004229573.tif 000016
【図１５】
2004229573.tif 000017
【図１６】
2004229573.tif 000018
【図１７】
2004229573.tif 000019
【図１８】
2004229573.tif 000020
【図１９】
2004229573.tif 000021